(57)【要約】      （修正有）【課題】引っ張るという単一の操作のみによりロックを解除することができるようにした引き戸のランナー構造を提供する。【解決手段】ガイドレールに沿って走行するガイド部材２０と、戸板取付部材３０と、両者を連結する支持軸４０とを有し、戸板取付部材は戸板の上端角部に取り付けられた中空の固定ケース３１と、固定ケース内に水平に挿入され且つ支持軸の一端が取り付けられる挿入部材３２と、挿入部材を固定ケース内で保持する保持部材３３とを有し、保持部材は挿入部材を固定ケース内にロックする係止片３３ａと、該係止片を係合位置から退避させるロック解除部材３９とを備え、ロック解除部材は保持部材に対して挿脱可能であって、保持部材内のロック位置まで押し込まれたときに保持部材の係止片の固定ケースの係止部への係合を許すとともに、保持部材からロック解除位置まで引き出されたときに該係合を解除する解除部３９ａ，３９ｂを備える。【選択図】図５
2016211304.tif 000002
【特許請求の範囲】
【請求項１】
引き戸の戸枠の上縁に設けられたガイドレールに沿って長手方向に走行するガイド部材と、戸板の上端角部に固定される戸板取付部材と、前記ガイド部材と前記戸板取付部材とを連結する支持軸と、を有し、
前記戸板取付部材は、戸板の上端の端縁に設けられた取付用凹陥部内に取り付けられ戸板端縁側が開口した中空の固定ケースと、前記固定ケース内に戸板端縁側から長手方向に沿って水平に挿入され且つ前記支持軸の一端が取り付けられる挿入部材と、前記挿入部材を前記固定ケース内で長手方向に関して保持する保持部材と、を有し、
前記保持部材は、前記固定ケース内に形成された係止部に係合することにより前記挿入部材を前記固定ケース内にロックする係止片と、前記係止片を前記固定ケース内における前記係止部との係合位置から退避させるロック解除部材と、を備え、
前記ロック解除部材は、前記保持部材に対して挿脱可能であって、前記保持部材に対しロック位置まで押し込まれたときに前記保持部材の係止片の前記固定ケースの係止部への係合を許すとともに、前記保持部材に対しロック解除位置まで引き出されたときに前記保持部材の係止片の前記固定ケースの係止部との係合を解除する解除部を備えた、
ことを特徴とする、引き戸のランナー構造。
【請求項２】
前記ロック解除部材の解除部は、挿脱方向に関して傾斜した傾斜面を備え、
前記ロック解除部材がロック位置からロック解除位置まで移動するとき、この傾斜面がその斜面に沿って前記保持部材の係止片を係合位置から退避位置まで押動することを特徴とする、請求項１に記載の引き戸のランナー構造。
【請求項３】
前記ロック解除部材の解除部が、挿脱方向に平行な水平面を備えており、
前記ロック解除部材がロック解除位置に在るとき、この水平面が前記保持部材の係止片と当接することを特徴とする、請求項１または２に記載の引き戸のランナー構造。
【請求項４】
前記ロック解除部材が、ロック解除位置で引き抜き方向の移動を規制する規制部を備えていることを特徴とする、請求項１から３の何れかに記載の引き戸のランナー構造。
【発明の詳細な説明】
【技術分野】
【０００１】
本発明は、開口部に開閉可能に引き戸を支持する引き戸のランナー構造に関し、特に戸板に対して着脱可能である引き戸のランナー構造に関するものである。
【背景技術】
【０００２】
従来、住宅の各室間の出入り口等の開口部を開閉するために引き戸が使用されることがある。
このような引き戸は、例えば開口部の上縁に沿って設けられたガイドレールに沿って走行するガイドローラ等のガイド部材を含むランナー構造により支持される。
引き戸は、ガイドレールに沿ってガイド部材が走行して開口部の一側または両側に向かって移動することにより、開口部を開放し、または閉鎖する。
【０００３】
このようなランナー構造としては、例えば、特許文献１に、戸板への組み付けの容易化を図った建具用ランナーが開示されている。
この建具用ランナーは、戸枠の上縁に設けられたガイドレールに係合し走行するガイドローラを有するランナー部材（ガイド部材）と、戸板の上端角部に固定される戸板取付部材と、ランナー部材と戸板取付部材とを連結する支軸と、を有している。
【０００４】
この戸板取付部材は、戸板の上端角部に固定される固定ホルダと、この固定ホルダに対して着脱可能な着脱ホルダと、から構成されている。
固定ホルダは、戸板の肉厚内に形成された凹陥部に収容され、戸板に対して水平方向及び垂直方向のタッピングネジにより固定される。
【０００５】
これに対して、着脱ホルダは、支軸を介してランナー部材に連結された組立体であって、ランナー部材及びランナー部材に備えられた四つのガイドローラを断面中空方形のガイドレール内に収容し且つ支軸をガイドレール間の間隙を通して下方に垂下した状態で固定ホルダに連結される。
そして、着脱ホルダは、固定ホルダの正面側及び裏面側の一対の側壁部の間に、戸板の端縁から水平方向に挿入され、下部に備えた可撓性を有するロックレバーの突起が固定ホルダの下面部に設けた開口に係合することにより、固定ホルダに連結される。
また、戸板の端面に露出するロックレバーの先端を摘んで持ち上げることにより、この突起を開口から離脱させて、戸板の端面外方に引っ張ることによって、着脱ホルダが固定ホルダから分離される。
【先行技術文献】
【特許文献】
【０００６】
【特許文献１】特開２０１２−０９７４８８号公報
【発明の概要】
【発明が解決しようとする課題】
【０００７】
しかしながら、特許文献１による建具用ランナーにおいては、着脱ホルダを固定ホルダから取り外す場合、ロックレバーの先端を摘んで持ち上げた状態で戸板の端面外方に引っ張る必要がある。このため、摘む操作と引っ張る操作という複合した二つの操作を同時に行なわなければならず、作業が煩雑になってしまう。
【０００８】
本発明は、以上の点に鑑み、簡単な構成により、引っ張るという単一の操作のみによりロックを解除することができるようにした引き戸のランナー構造を提供することを目的としている。
【課題を解決するための手段】
【０００９】
上記目的は、本発明の構成によれば、引き戸の戸枠の上縁に設けられたガイドレールに沿って長手方向に走行するガイド部材と、戸板の上端角部に固定される戸板取付部材と、ガイド部材と戸板取付部材とを連結する支持軸と、を有し、戸板取付部材は、戸板の上端の端縁に設けられた取付用凹陥部内に取り付けられ戸板端縁側が開口した中空の固定ケースと、固定ケース内に戸板端縁側から長手方向に沿って水平に挿入され且つ支持軸の一端が取り付けられる挿入部材と、挿入部材を固定ケース内で長手方向に関して保持する保持部材と、を有し、保持部材は、固定ケース内に形成された係止部に係合することにより挿入部材を固定ケース内にロックする係止片と、係止片を固定ケース内における係止部との係合位置から退避させるロック解除部材と、を備え、ロック解除部材は、保持部材に対して挿脱可能であって、保持部材に対しロック位置まで押し込まれたときに保持部材の係止片の固定ケースの係止部への係合を許すとともに、保持部材に対しロック解除位置まで引き出されたときに保持部材の係止片の固定ケースの係止部との係合を解除する解除部を備えたことを特徴とする、引き戸のランナー構造により、達成される。
【００１０】
上記構成によれば、戸板への組み付け状態においては、固定ケースが戸板の取付用凹陥部内に取り付けられると共に、固定ケース内に挿入部材が配置され且つ保持部材によりロックされている。そして、挿入部材に支持軸を介して連結されたガイド部材がガイドレール上に載って走行することにより、戸板が戸枠に対して開閉可能に移動し得る。
このとき、ロック解除部材はロック位置に押し込まれた状態に在って、その解除部は、固定ケース内において、保持部材の係止片には当接せず、保持部材の係止片は、固定ケースに設けられた係止部に係合している。これにより、保持部材は、係合位置において、挿入部材を固定ケースに対して保持する。従って、挿入部材は、固定ケース内の所定位置にロックされ、脱落しないようになっている。
【００１１】
このような状態から、保持部材の係止片の固定ケースの係止部との係合を解除する場合には、まず作業者がロック解除部材をロック位置からロック解除位置まで戸板端縁側に向かって保持部材から引張り出す。
これにより、ロック解除部材全体が戸板端縁側に向かって移動することになり、ロック解除部材の解除部も同じ方向に移動する。
従って、ロック解除部材の解除部の移動に伴って、保持部材の係止片が固定ケースの係止部に係合する係合位置から退避して、固定ケースの係止部との係合が解除され、保持部材のロック解除が行なわれる。
従って、保持部材は、長手方向に引っ張り出されて固定ケースから取り外され、挿入部材も同様にして、固定ケースから取り外され得る。
【００１２】
このようにして、保持部材の固定ケースに対するロックを解除する場合、従来のような持ち上げる操作と引っ張る操作の複合した二つの動作を行なう必要がなく、ロック解除部材を長手方向に引っ張るというだけの単一の操作によって、ロック解除を行なうことができるので、操作が単純化され、操作性が向上する。
【００１３】
本発明による引き戸のランナー構造は、好ましくは、ロック解除部材の解除部が、挿脱方向に関して傾斜した傾斜面を備え、ロック解除部材がロック位置からロック解除位置まで移動するとき、この傾斜面がその斜面に沿って保持部材の係止片を係合位置から退避位置まで押動する。
この構成によれば、ロック解除部材のロック位置からロック解除位置までの引っ張り方向への移動によって、傾斜面が保持部材の係止片を、ロック解除部材の挿脱方向とは異なる方向に押動することにより、保持部材の係止片が係合位置から退避位置まで移動する。
【００１４】
本発明による引き戸のランナー構造は、好ましくは、ロック解除部材の解除部が、挿脱方向に平行な水平面を備えており、ロック解除部材がロック解除位置に在るとき、この水平面が保持部材の係止片と当接する。
この構成によれば、ロック解除部材が引き出されたロック解除位置に在るときには、保持部材の係止片は、ロック解除部材の解除部における平坦な水平面に当接しているので、保持部材の係止片の係合位置に向かう付勢力によって、ロック解除部材が挿脱方向に移動してしまうようなことがない。
【００１５】
本発明による引き戸のランナー構造は、好ましくは、ロック解除部材が、ロック解除位置で引き抜き方向の移動を規制する規制部を備えている。
この構成によれば、ロック解除部材がロック位置からロック解除位置に向かって引っ張られたとき、ロック解除位置を越える移動が規制部により規制されるので、ロック解除部材を不用意に引っ張ったとしても、ロック解除部材が保持部材から脱落してしまうようなことがない。
【発明の効果】
【００１６】
このようにして、本発明によれば、簡単な構成により、引っ張るという単一の操作のみによりロックを解除することができるようにした引き戸のランナー構造を提供することができる。
【図面の簡単な説明】
【００１７】
【図１】本発明による引き戸のランナー構造の一実施形態の構成を示す概略正面図である。
【図２】図１の引き戸のランナー構造を示す概略側面図である。
【図３】図1の引き戸のランナー構造を示す概略斜視図である。
【図４】図1の引き戸のランナー構造における固定ケースを除いた概略斜視図である。
【図５】図1の引き戸のランナー構造を示す分解斜視図である。
【図６】図1の引き戸のランナー構造を示す図で、（Ａ）は図２のＡ−Ａ線断面図，（Ｂ）は保持部材と固定ケースの係合部を通る部分断面図である。
【図７】図１の引き戸のランナー構造におけるロック解除部材がロック解除位置に在る状態を示す概略斜視図である。
【図８】図１の引き戸のランナー構造におけるロック解除部材がロック解除位置に在る状態を示す図５と同様の概略斜視図である。
【図９】図1の引き戸のランナー構造におけるロック解除部材がロック解除位置に在る状態を示す図６と同様の概略断面図である。
【発明を実施するための形態】
【００１８】
図１及び図２は、本発明による引き戸のランナー構造の一実施形態を引き戸に組み込んだ状態を示している。
図１及び図２において、引き戸のランナー構造１０は、建物等に設けられた開口部の戸枠１１の上縁に設けられたガイドレール１２に沿って長手方向（Ｘ方向）に引き戸（戸板）１３を移動可能に支持するように構成されており、ガイドレール１２に沿って走行するガイド部材２０と、引き戸１３の上端に取り付けられ、ガイド部材２０に連結される戸板取付部材としてのユニット部材３０と、ガイド部材２０とユニット部材３０とを連結する垂直な支持軸４０と、から構成されている。
【００１９】
ここで、ガイドレール１２は、図１及び図２に示すように、断面が中空の四角形として例えば長尺のアルミニウム材から構成されており、Ｚ方向下方が開放していると共に、図２に示すように、長手方向に垂直な横方向（Ｙ方向）の両側の下縁が内側に折り返されることにより、その先端が上方を向いたレール部１２ａを形成している。
【００２０】
ガイド部材２０は、図３及び図５に示すように、本体２１と、本体２１に対して横向き（Ｙ方向）に延びる二本の車軸２２にそれぞれ取り付けられた二対の車輪２３を有している。
ここで、本体２１は、長手方向（Ｘ方向）に離間した二つの車軸用取付穴２１ａを有している。
【００２１】
車輪２３は、本体２１の中心より長手方向前後に配置されており、本体の車軸用取付孔２１ａに挿通される車軸２２の両端に取り付けられ、ガイドレール１２に設けられたレール部１２ａに乗ることにより、レール部１２ａ上を転動する。
【００２２】
ユニット部材３０は、固定ケース３１と、挿入部材３２と、保持部材３３と、を有している。
【００２３】
固定ケース３１は、引き戸１３の端縁側が開口した中空の箱状に形成されており、上面には切欠き部３１ａを有している。
固定ケース３１は、引き戸１３の上端角部において、引き戸１３の肉厚内に形成された取付用凹陥部１３ａ（図１参照）に収容され、図６（Ａ）に示すように、底面及び右側面に形成された取付孔３１ｂ，３１ｃを介してそれぞれ取付ネジ（図示せず）により、引き戸１３側に固定される。
【００２４】
挿入部材３２は、固定ケース３１の中空部内に、引き戸１３の端縁側から水平方向（Ｘ方向）に挿入され、後述する保持部材３３により固定ケース３１内に挟持される。
尚、実際には、挿入部材３２は、後述するように、保持部材３３に一体に組み込まれた状態で、保持部材３３と共に、固定ケース３１内に挿入される。
ここで、挿入部材３２は、図６（Ａ）に示すように、引き戸１３の端縁側（Ｘ１側）が下方に延びた逆Ｌ字形状に形成されていると共に、図５に示すように反対側（Ｘ２側）において支持軸４０の下端４０ａを垂直方向に受容するための上下に貫通した軸受孔３２ａを有している。
また、挿入部材３２は、Ｘ２側の端面に横調整用の係合溝３２ｂを備えている。この係合溝３２ｂは、一定幅で垂直方向に延びている。
【００２５】
さらに、挿入部材３２は、係合溝３２ｂの下側で、Ｘ方向に延びる貫通孔３２ｃを備えている。
この貫通孔３２ｃには、Ｘ２側に方形部３４ａを備えた回転軸３４が挿通され、方形部３４ａは、角孔付き歯車３５の中心に設けられた角孔３５ａに嵌合する。
ここで、回転軸３４は、引き戸１３の端縁側（Ｘ１側）に、回転工具用の十字溝を有する頭部３４ｂを備えている。この頭部３４ｂと角孔付き歯車３５に挟持されることにより、回転軸３４は、貫通孔３２ｃ内で回転可能に且つＸ軸方向に移動しないように、枢支される。
これに対して、支持軸４０の下端には、雄ねじ部４１が形成されており、この雄ねじ部４１には、中心に雌ねじ部を備えた第二の歯車３６が螺合している。この第二の歯車３６は、角孔付き歯車３５に対して垂直に配置され、互いに噛合している。
ドライバー等の回転工具を使用して頭部３４ｂを回転させると、孔付き歯車３５が回転し、これに伴って第二の歯車３６も回転する。従って、支持軸４０がＺ方向に移動調整され得る。
【００２６】
尚、固定ケース３１の切欠き部３１ａを越えて上方に延びる支持軸４０は、ガイド部材２０の本体２１の中心に設けられた垂直方向に延びる貫通孔２１ｂを貫通して、本体２１の上側に突出している。
ここで、支持軸４０は、その上端付近に、環状溝４２を備えていると共に、その下方に、外側に突出したフランジ部４３を備えている。環状溝４２とフランジ部４３との間の距離は、ガイド部材２０の本体２１に設けられた貫通孔２１ｂの長さより僅かに長く選定されている。
従って、支持軸４０は、本体２１の貫通孔２１ｂに対して下方から、そのフランジ部４３が本体２１の下面に当接するまで挿入されると共に、環状溝４２に座金４４が装着されることにより、支持軸４０がガイド部材２０の本体２１に対して連結される。
【００２７】
さらに、支持軸４０は、その中間付近から雄ねじ部４１までの領域において、横方向の両側に互いに平行なＸ方向に延びる切欠き面４５を備えている。
これに対応して、挿入部材３２に設けられた軸受孔３２ａも、この切欠き面４５の領域における支持軸４０の断面形状に対応した形状を有している。
これにより、支持軸４０が挿入部材の軸受孔３２ａに挿入された状態において、支持軸４０は、中心軸の周りに回転しないようになっている。
【００２８】
図６（Ｂ）に示すように、保持部材３３は、固定ケース３１の中空部内に、引き戸１３の端縁側から水平方向（Ｘ方向）に引き戸１３内に挿入され、その係止片３３ａが固定ケース３１の下面内側に設けられた係止部３１ｄに係合することにより、固定ケース３１内で固定保持されて、保持部材３３及び挿入部材３２が固定ケース３１に対してロックされる。
係止片３３ａを含む保持部材３３は、可撓性を有する材料から構成されており、図５に示すように、係止片３３ａは固定ケース３１の中空部のほぼ全幅に亘って配置されていると共に、横方向の両側が下方に向かって突出している。
これに対して、固定ケース３１の係止部３１ｄは、図６（Ｂ）に示すように、底面から上方に向かって突出している。
ここで、係止片３３ａのＸ１側の端面及び係止部３１ｄのＸ２側の端面は、互いにＺ方向上方に向かってＸ２側に斜めに傾斜しており、係合時に互いに確実に係合し得るように形成されている。
また、係止部３１ｄの引き戸１３の端縁側は、Ｘ１方向に向かってなだらかに低くなるように傾斜している。
【００２９】
さらに、保持部材３３は、引き戸１３の端縁側に開口した円形の調整孔３３ｂと、その下方で同様に開口した開口部３３ｃと、を有している。
ここで、開口部３３ｃは、前述した挿入部材３２の引き戸１３の端縁側に露出している回転軸３４の頭部への保持部材３３の外側からのアクセスを可能にする。
【００３０】
調整孔３３ｂには、横調整用の調整部材３８が内側から中心軸の周りに回転可能に嵌挿されており、この調整部材３８は、Ｘ２側に外側に突出した環状のフランジ部３８ａと、Ｘ２側の端面に偏心したボス部３８ｂと、を備えている。
フランジ部３８ａは、調整孔３３ｂのＸ２側の周縁に当接することにより、調整孔３３ｂから引き戸１３の端縁側に脱落しないようになっている。
【００３１】
また、ボス部３８ｂは、前述した挿入部材３２の係合溝３２ｂに係合する。
ここで、調整部材３８のＸ１側の端面には、回転工具用の十字溝が形成されている。これにより、ドライバー等の回転工具を使用して調整部材３８を回転させると、偏心したボス部３８ｂが挿入部材３２の係合溝３２ｂ内で横方向に移動することにより、挿入部材３２が横方向（Ｙ方向）に移動調整され得る。
【００３２】
さらに、保持部材３３は、その係止片３３ａを固定ケース３１の係止部３１ｄから退避させるためのロック解除部材３９を備えている。
ロック解除部材３９は、保持部材３３とは別体に構成され、保持部材３３の開口部３３ｃの下方に設けられた挿入部３３ｅ内に引き戸１３の端縁側から水平に挿脱可能に収容される。
【００３３】
ロック解除部材３９は、図５に示すように、Ｘ２方向の先端付近に、上方に突出した解除部を有している。
この解除部は、全体として上方に凸状に形成されており、引き戸１３の端縁側から順に第一の傾斜面３９ａ，水平面３９ｂ及び第二の傾斜面３９ｃから構成されている。
第一の傾斜面３９ａは、Ｘ１方向に向かって徐々に低くなるように傾斜しており、第二の傾斜面３９ｃは、逆にＸ２方向に向かって徐々に低くなるように傾斜している。
これに対して、水平面３９ｂは、ロック解除部材３９の挿脱方向即ちＸ方向に平行に、より詳細にはＸＹ平面に平行に形成されている。
【００３４】
ロック解除部材３９は、図１〜図４及び図６に示すように、保持部材３３に挿入部材３２が組み合わされた状態で保持部材３３内に押し込まれたロック位置においては、図６（Ａ）に示すように、解除部の第一の傾斜面３９ａが保持部材３３の係止片３３ａの下方に近接しているが、このとき係止片３３ａは係合位置に在って、保持部材３３の係止片３３ａと固定ケース３１の係止部３１ｄとの係合を妨げない。
従って、この状態においては、保持部材３３は固定ケース３１に確実にロックされている。
【００３５】
これに対して、ロック解除部材３９は、図７〜図９に示すように、保持部材３３から引き出されたロック解除位置においては、図９（Ａ）に示すように、解除部の水平面３９ｂが保持部材３３の係止片３３ａを復元力に抗して上方に押し上げて退避位置まで移動させて、固定ケース３１の係止部３１ｄとの係合を解除する。
【００３６】
また、ロック解除部材３９は、図６（Ａ）に示すように、その下面から下方に突出した係合爪３９ｄを有している。
これに対して、保持部材３３の挿入部３３ｅの底面には、係合部３３ｆが形成されている。
このため、ロック解除部材３９が保持部材３３の挿入部３３ｅから引き出されたロック解除位置において、図９（Ａ）に示すように、この係合爪３９ｄが係合位置で係合部３３ｆと係合することにより、ロック解除部材３９の引き出し方向への移動が規制される。
【００３７】
さらに、ロック解除部材３９は、ロック位置からロック解除位置まで保持部材からＸ１方向に引き出すための把持部３９ｅを有している。
この把持部３９ｅは、ロック解除部材３９の引き戸１３の端縁側の下端に形成されている。
【００３８】
本発明による引き戸のランナー構造１０は、以上のように構成されており、以下のように動作する。
まず、引き戸のランナー構造１０を引き戸１３に組み込む場合について、説明する。
【００３９】
準備として、ユニット部材３０のうち、固定ケース３１が、引き戸１３の上端角部に形成された凹陥部１３ａ内に収容され、取付ネジにより、引き戸１３側に固定される。
他方、挿入部材３２に対して、回転軸３４及び角孔付き歯車３５が組付けられた状態において、調整部材３８が調整孔３３ｂ内に挿入された保持部材３３に組み合わされる。
続いて、支持軸４０の上部がガイド部材２０の本体２１に設けられた貫通孔２１ｂに下方から挿通され、座金４４により本体２１に対して連結されると共に、支持軸４０の下部が上方から保持部材３３の上面に設けられた挿通孔３３ｇそして挿入部材３２の軸受孔３２ａに挿通され、第二の歯車３６が螺合される。
【００４０】
また、ロック解除部材３９が保持部材３３の挿入部３３ｅ内に挿入され、ロック位置まで押し込まれる。
このとき、ロック解除部材３９の押し込みの際に、ロック解除部材３９の第二の傾斜面３９ｃが保持部材３３の係止片３３ａを徐々に上方に押し上げることになり、ロック解除部材３９が円滑に挿入部３３ｅ内に挿入され得る。
このようにして、図４に示すように、ガイド部材２０，支持軸４０と挿入部材３２及び保持部材３３が組み立てられる。
【００４１】
このような状態において、ガイド部材２０が戸枠１１に備えられたガイドレール１２のレール部１２ａ上に載せられると共に、保持部材３３が引き戸１３に取り付けられた固定ケース３１内に水平方向に挿入される。
このとき、保持部材３３の係止片３３ａは、固定ケース３１の係止部３１ｄに対して、そのＸ１側のなだらかな斜面に沿って摺動すると共に、上方に向かって押し上げられるので、保持部材３３は、円滑に固定ケース３１内に収容される。そして、保持部材３３が完全に押し込まれた状態において、係止片３３ａが、係止部３１ｄを越えると、その復元力に基づいて下方に移動して、図６（Ｂ）に示すように、係合位置で係止片３３ａが係止部３１ｄと係合する。これにより、保持部材３３及び挿入部材３２が固定ケース３１に対してロックされる。
このようにして、図１及び図２に示すように、引き戸のランナー構造１０の引き戸１３への組み付け作業が完了する。
【００４２】
ここで、引き戸１３の戸枠１１に対する二軸方向（Ｙ方向及びＺ方向）の調整は、以下のようにして行なわれる。
即ち、作業者がドライバー等の回転工具を使用して、調整部材３８の頭部を中心軸の周りに回転させると、調整部材３８の偏心したボス部３８ｂが横方向（Ｙ方向）に移動する。これにより、調整部材３８そして保持部材３３及び挿入部材３２の固定ケース３１に対してＹ方向に移動することになり、挿入部材３２と連結されたガイド部材２０と固定ケース３１が取り付けられた引き戸１３とのＹ方向位置が調整される。従って、引き戸１３の戸枠１１に対するＹ方向の位置調整が行なわれ得る。
【００４３】
また、作業者が同様にドライバー等の回転工具を使用して、回転軸３４の頭部を中心軸の周りに回転させると、回転軸３４に取り付けられた角孔付き歯車３５がＸ方向の軸周りに回転し、これに伴って第二の歯車３６がＺ方向の軸周りに回転する。これにより、第二の歯車３６と支持軸４０の雄ねじ部４１との螺合に基づいて、支持軸４０がＺ方向に移動することになり、挿入部材３２と連結されたガイド部材２０と固定ケース３１が取り付けられた引き戸１３とのＺ方向位置が調整される。従って、引き戸１３の戸枠１１に対するＺ方向の位置調整が行なわれ得る。
【００４４】
次に、保持部材３３及び挿入部材３２を固定ケース３１から取り外す場合について説明する。
図３及び図６に示す状態から、作業者がロック解除部材３９の把持部３９ｅにより引き戸１３の端縁側に向かってＸ１方向に移動させると、ロック解除部材３９の解除部の第一の傾斜面３９ａに沿って、保持部材３３の係止片３３ａが係合位置から徐々に上方に押し上げられることにより、保持部材３３の係止片３３ａが固定ケース３１の係止部３１ｄから外れる。
【００４５】
そして、ロック解除部材３９が完全にロック解除位置まで引き出されると、図７及び図９に示すように、ロック解除部材３９の解除部の水平面３９ｂが保持部材３３の係止片３３ａの下面に当接することにより、保持部材３３の係止片３３ａは、退避位置に移動する。
このとき、保持部材３３の係止片３３ａは、復元力によりロック解除部材３９の解除部を下方に向かって付勢することになるが、係止片３３ａが当接しているのはＸ方向に延びる水平面３９ｂであることから、ロック解除部材３９の解除部にはＸ方向に作用する力が加えられず、Ｚ方向の垂直力のみが作用する。従って、係止片３３ａの付勢力はロック解除部材３９をＸ方向に移動するよう作用することはなく、確実にロック解除位置に保持され、保持部材３３の係止片３３ａは退避位置に保持される。
【００４６】
この状態から、保持部材３３を固定ケース３１から水平方向に引き出すと、図８に示すように、ガイド部材２０，支持軸４０，保持部材３３及び挿入部材３２が、固定ケース３１即ち引き戸１３側から取り外されることになる。
従って、ロック解除部材３９を水平方向（Ｘ１方向）に引き出すだけの単一操作によって、保持部材３３の係止片３３ａと固定ケース３１の係止部３１ｄとの係合が外れて、保持部材３３の固定ケース３１に対するロックが解除され得ることになる。
【００４７】
このようにして、本発明による引き戸のランナー構造１０によれば、引っ張るという単一の操作のみによりロックを解除することができるようにした引き戸のランナー構造を手強することができる。
【００４８】
本発明はその趣旨を逸脱しない範囲において様々な形態で実施することができる。
例えば、上述した実施形態においては、挿入部材３２は保持部材３３に対してＺ方向及びＹ方向に位置調整可能に構成されているが、これに限らず、挿入部材３２が保持部材３３に対して一体的に組み合わされるようにしてもよい。
【００４９】
また、上述した実施形態においては、戸枠１１の上縁にガイドレールが取り付けられ、引き戸１３の上端にガイド部材及びユニット部材が取り付けられているが、これに限らず、戸枠１１の下縁にガイドレールが取り付けられて、引き戸１３の下端にガイド部材及びユニット部材が取り付けられていてもよい。
さらに、上述した実施形態においては、戸枠側にガイドレールが取り付けられ、引き戸側にガイド部材及びユニット部材が取り付けられているが、これに限らず、引き戸側にガイドレールが取り付けられ、戸枠側にガイド部材及びユニット部材が取り付けられていてもよい。
【００５０】
以上述べたように、本発明によれば、簡単な構成により、引っ張るという単一の操作のみによりロックを解除することができるようにした、極めて優れた引き戸のランナー構造が提供される。
【符号の説明】
【００５１】
１０    引き戸のランナー構造
１１    戸枠
１２    ガイドレール
１２ａ  レール部
１３    引き戸（戸板）
２０    ガイド部材
２１    本体
２２    車軸
２３    車輪
３０    ユニット部材（戸板取付部材）
３１    固定ケース
３１ｄ  係止部
３２    挿入部材
３３    保持部材
３３ａ  係止片
３３ｆ  係合部
３９    ロック解除部材
３９ａ  第一の傾斜面（解除部）
３９ｂ  水平面（解除部）
３９ｃ  第二の傾斜面（解除部）
３９ｄ  係合爪
３９ｅ  把持部
４０    支持軸
【図１】
2016211304.tif 000003
【図２】
2016211304.tif 000004
【図３】
2016211304.tif 000005
【図４】
2016211304.tif 000006
【図５】
2016211304.tif 000007
【図６】
2016211304.tif 000008
【図７】
2016211304.tif 000009
【手続補正書】
【提出日】平成27年8月10日(2015.8.10)
【手続補正３】
【補正対象書類名】図面
【補正対象項目名】全図
【補正方法】変更
【補正の内容】
【図１】
2016211304.tif 000010
【図２】
2016211304.tif 000011
【図３】
2016211304.tif 000012
【図４】
2016211304.tif 000013
【図５】
2016211304.tif 000014
【図６】
2016211304.tif 000015
【図７】
2016211304.tif 000016
【図８】
2016211304.tif 000017
【図９】
2016211304.tif 000018